【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
送信局と受信局の間で行われる移動通信のパラメータを制御する通信制御装置であって、
前記送信局および受信局の一方の移動速度を推定し、推定された移動速度に対応する制御信号を出力する速度推定手段と、
前記制御信号に基づいて、前記パラメータの値を変更する変更手段とを備えることを特徴とする通信制御装置。
【請求項２】
前記受信局は、スペクトル拡散された信号を逆拡散するためのタイミングを検出するサーチャー手段を含み、前記変更手段は、前記制御信号に基づいて、該サーチャー手段が行うサーチ動作の頻度を、前記パラメータとして制御することを特徴とする請求項１記載の通信制御装置。
【請求項３】
前記変更手段は、前記サーチ動作の頻度を制御するタイマー手段を含み、該タイマー手段の周期を前記パラメータとして制御することを特徴とする請求項２記載の通信制御装置。
【請求項４】
前記サーチャー手段は、スペクトル拡散された複数のチャネルのそれぞれの信号を逆拡散するためのタイミングを検出し、前記変更手段は、各チャネルについて推定された移動速度に対応する制御信号に基づいて、前記サーチ動作の頻度を制御することを特徴とする請求項２記載の通信制御装置。
【請求項５】
前記受信局は、スペクトル拡散された信号を逆拡散するためのタイミングを検出するサーチャー手段を含み、前記変更手段は、前記制御信号に基づいて、該サーチャー手段が生成する受信相関値の累積加算回数を、前記パラメータとして制御することを特徴とする請求項１記載の通信制御装置。
【請求項６】
前記サーチャー手段は、スペクトル拡散された複数のチャネルのそれぞれの信号を逆拡散するためのタイミングを検出し、前記変更手段は、各チャネルについて推定された移動速度に対応する制御信号に基づいて、前記累積加算回数を制御することを特徴とする請求項５記載の通信制御装置。
【請求項７】
前記受信局は、パイロット信号を含む信号の検波を行う同期検波手段を含み、前記変更手段は、前記制御信号に基づいて、該同期検波手段が位相推定を行うために使用するパイロット信号の数を、前記パラメータとして制御することを特徴とする請求項１記載の通信制御装置。
【請求項８】
前記受信局は、パイロット信号を含む信号の検波を行う同期検波手段を含み、前記変更手段は、前記制御信号に基づいて、該同期検波手段が位相推定を行うために使用するパイロット信号の重み係数を、前記パラメータとして制御することを特徴とする請求項１記載の通信制御装置。
【請求項９】
前記受信局は、信号レベルが一定値以下の無効パスを検出する無効パス検出手段を含み、前記変更手段は、前記制御信号に基づいて、該無効パス検出手段が信号を観測する観測長を、前記パラメータとして制御することを特徴とする請求項１記載の通信制御装置。
【請求項１０】
前記無効パス検出手段は、観測すべき信号を通過させるフィルタ手段を含み、前記変更手段は、前記制御信号に基づいて、該フィルタ手段のフィルタ長を前記パラメータとして制御することを特徴とする請求項９記載の通信制御装置。
【請求項１１】
前記送信局は、送信電力を変更する送信電力制御手段を含み、前記変更手段は、前記制御信号に基づいて、該送信電力制御手段が変更する電力値可変幅を、前記パラメータとして制御することを特徴とする請求項１記載の通信制御装置。
【請求項１２】
前記送信電力制御手段は、前記受信局から送られる送信電力制御コマンドを累積する累積手段と、累積値を電力値に変換する変換手段とを含み、前記変更手段は、前記制御信号に基づいて、該送信電力制御コマンドの累積値を制御することを特徴とする請求項１１記載の通信制御装置。
【請求項１３】
前記送信局は、送信電力を変更する送信電力制御手段を含み、前記変更手段は、前記制御信号に基づいて、該送信電力制御手段が電力値を変更する頻度を、前記パラメータとして制御することを特徴とする請求項１記載の通信制御装置。
【請求項１４】
前記速度推定手段は、前記受信局に対する前記送信局の相対的な移動速度と、該送信局に対する該受信局の相対的な移動速度のうちの一方を推定することを特徴とする請求項１記載の通信制御装置。
【請求項１５】
前記速度推定手段は、前記受信局から前記送信局に送られる送信電力制御コマンドを用いて、前記移動速度を推定することを特徴とする請求項１記載の通信制御装置。
【請求項１６】
前記速度推定手段は、前記受信局において生成された希望波電力を用いて、前記移動速度を推定することを特徴とする請求項１記載の通信制御装置。
【請求項１７】
移動通信における送信局の移動速度を推定し、推定された移動速度に対応する制御信号を出力する速度推定手段と、
前記制御信号に基づいて、前記移動通信のパラメータの値を変更する変更手段と
を備えることを特徴とする受信機。
【請求項１８】
前記変更手段は、前記制御信号に基づいて、スペクトル拡散された信号を逆拡散するためのタイミングを検出するサーチ動作の頻度、該サーチ動作における受信相関値の累積加算回数、同期検波において用いられるパイロット信号の数、該パイロット信号の重み係数、および無効パス検出において信号を観測する観測長のうち、少なくとも１つ以上を前記パラメータとして制御することを特徴とする請求項１７記載の受信機。
【請求項１９】
移動通信における受信局の移動速度を推定し、推定された移動速度に対応する制御信号を出力する速度推定手段と、
前記制御信号に基づいて、前記移動通信のパラメータの値を変更する変更手段と
を備えることを特徴とする送信機。
【請求項２０】
前記変更手段は、前記制御信号に基づいて、送信電力制御における電力値可変幅および電力値を変更する頻度のうち、少なくとも１つ以上を前記パラメータとして制御することを特徴とする請求項１９記載の送信機。
【請求項２１】
送信局と受信局の間で移動通信を行い、
前記送信局および受信局の一方の移動速度を推定し、
推定された移動速度に基づいて、前記移動通信のパラメータの値を変更することを特徴とする通信制御方法。
【請求項２２】
前記推定された移動速度に基づいて、スペクトル拡散された信号を逆拡散するためのタイミングを検出するサーチ動作の頻度、該サーチ動作における受信相関値の累積加算回数、同期検波において用いられるパイロット信号の数、該パイロット信号の重み係数、無効パス検出において信号を観測する観測長、送信電力制御における電力値可変幅、および該送信電力制御において電力値を変更する頻度のうち、少なくとも１つ以上を前記パラメータとして制御することを特徴とする請求項２１記載の通信制御方法。
【請求項２３】
送信局と受信局の間で行われる移動通信のパラメータを制御する通信制御装置であって、
前記送信局および受信局の一方の移動速度に対応する制御信号を出力する手段と、
前記制御信号に基づいて、前記パラメータの値を変更する手段と
を備えることを特徴とする通信制御装置。
【請求項２４】
移動通信における送信局の移動速度に対応する制御信号を出力する手段と、
前記制御信号に基づいて、前記移動通信のパラメータの値を変更する変更手段と
を備えることを特徴とする受信機。
【請求項２５】
移動通信における受信局の移動速度に対応する制御信号を出力する手段と、
前記制御信号に基づいて、前記移動通信のパラメータの値を変更する手段と
を備えることを特徴とする送信機。
【請求項２６】
送信局と受信局の間で移動通信を行い、前記送信局および受信局の一方の移動速度に基づいて、前記移動通信のパラメータの値を変更することを特徴とする通信制御方法。